(57)【要約】      （修正有）【課題】女性用ブラジャーのカップ底縁に支持部材を設けて着用の快適さを向上されるブラカップ底縁接合構造を提供する。【解決手段】ユーザーのバストの膨らみ曲線に合わせてユーザーの肌にぴったり付けられる構成であり、アンダーバスト曲部を有する肌接触布層と、肌接触布層におけるユーザーの肌と異なる側に設置してぴったり付けられ、前記アンダーバスト曲部に対応してユーザーのアンダーバスト曲線に合わせる、外へ凸設される支持部材収容領域を有する外側布層と、アンダーバスト曲線に合わせる形態で前記支持部材収容領域とアンダーバスト曲部との間に設けられる支持部材とを含むブラカップ底縁接合構造に関する。このブラカップ底縁接合構造は前記構成によって、ユーザーのアンダーバストへの圧迫不快感を解消することができるだけでなく、女性のバストを支えて押し上げて定形させる効果を提供することも可能である。【選択図】図１
0003161170.tif 000002
【実用新案登録請求の範囲】
【請求項１】
ユーザーのバスト曲線に合わせてユーザーの肌にぴったりと付けられる構成であり、アンダーバスト曲部を有する肌接触布層と、
前記肌接触布層におけるユーザーの肌と異なる側に設置してぴったり付けられ、前記アンダーバスト曲部に対応してユーザーのアンダーバスト曲線に合わせる、外へ凸設される支持部材収容領域を有する外側布層と、
アンダーバスト曲線に合わせる形態で前記支持部材収容とアンダーバスト曲部との間に設けられる支持部材と
を含むブラカップ底縁接合構造。
【請求項２】
前記アンダーバスト曲部、支持部材収容領域及び支持部材は、ブラジャーの中央からユーザーの脇下部へ伸びる請求項１に記載のブラカップ底縁接合構造。
【請求項３】
前記肌接触布層は、不織布又は弾性の繊維綿の材質である請求項１又は２に記載のブラカップ底縁接合構造。
【請求項４】
前記外側布層は、不織布又は弾性の繊維綿の材質である請求項１又は２に記載のブラカップ底縁接合構造。
【請求項５】
前記支持部材は、鋼線、鋼片又は弾性成形体である請求項１又は２に記載のブラカップ底縁接合構造。
【考案の詳細な説明】
【技術分野】
【０００１】
本考案は、ブラカップ底縁接合構造に関し、特に、女性用ブラジャーのカップ底縁に支持部材を設けて着用の快適さを向上させる接合構造に関する。
【背景技術】
【０００２】
現在、一般的な女性用ブラジャーは、乳房に対する支え上げ定形の効果を向上させるために、必ずブラカップによる乳房の重さへの支持力を強化させる必要があるので、前記ブラカップの下縁にその曲線に合致する支持素子を設けることが多く、これにより、バストを支えて押し上げて定形させて美しく見せる効果を達成させる。ここで、前記支持素子は殆んどワイヤーである。
「ブラジャーのワイヤーの構成改良」という台湾実用新案公告第５４０３１７号によれば、ブラジャーの両カップの底縁に固定された２つの定形用の円弧ワイヤーを含み、この円弧ワイヤーの外表縁が、無毒で可撓性を有するゴムを加工成形して被覆して設け、弾性の複合成形ワイヤーを構成する形態であり、また、前記加工成形して被覆されるゴムは、前記弾性の複合成形ワイヤーの内縁面が弾性で柔らかい接触体を形成するように、ワイヤー内側での厚さがワイヤー本体の厚さよりも厚い、女性用ブラジャーに適用されるワイヤーの改良構成を開示している。
しかし、この考案は、そのワイヤーの外部に可撓性を有するゴムを被覆し、女性の肌に対して柔らかい接触体を形成することで、ユーザーがこのブラジャーを着用する際に、このワイヤーの押し当てによる圧迫感がすることなく、より快適なフィット感が得られることを強調しているが、その図６を真剣に検討すれば、前記弾性の複合成形ワイヤーは、前記ブラカップの内側とユーザーの肌との間に凸設され、ユーザーの肌に押し当てて不快感をもたらすことが確かである。従って、このブラジャーのワイヤーの改良構成はまだ改良する余裕がある。
図５を参照すると、前述したブラジャーのワイヤーの改良構成の問題点に鑑みて、女性用ブラジャーのカップ材質を外側布地と肌接触布地という２層の布地に分け、前記肌接触布地において、女性の乳房支持用のワイヤーを収容するための収容空間が内へ凸設され、好ましくは、女性の肌とワイヤーとが隔てられ、女性がブラジャーを着用する場合のワイヤーの押し当てによる異物感をさらに回避するために、前記肌接触布地が女性の肌と前記ワイヤーの間に設けられるものが市販されている。
ところが、スペーサとして前記肌接触布地があるにもかかわらず、図５から、この従来のブラジャーのカップの肌接触布地は、前記ワイヤーを収容する収容空間を内へ凹設しているので、この収容空間がその中に設けられたワイヤーと合わせて、やはり着用者の肌に押し当て、不快な異物感を生じさせてしまうことが分かる。
従って、女性がブラジャーを着用する際に、ブラカップの底縁に設けられるワイヤーによる圧迫・異物感が感じないものを開発することができれば、上述した従来のブラジャーによる問題を解決することが可能である。
【先行技術文献】
【特許文献】
【０００３】
【特許文献１】台湾実用新案公告第５４０３１７号
【考案の概要】
【課題を解決するための手段】
【０００４】
本考案者は、上述した従来の女性用ブラジャーにおける、ブラカップ底縁に設けられるワイヤーによる不快感の問題に鑑みて、鋭意に検討し、試験や工夫を絶えず重ねて、ついに本考案の完成に至った。
本考案は、女性用ブラジャーのカップ底縁に支持部材を設けて着用の快適さを向上させる接合構造を提供することを主な目的とする。
上述した考案の目的を達成するために、本考案は、以下の技術的手段を採用する。その中、本考案は、
ユーザーのバスト曲線に合わせてユーザーの肌にぴったり付けられる構成であり、アンダーバスト曲部を有する肌接触布層と、
前記肌接触布層におけるユーザーの肌と異なる側に設置してぴったり付けられ、前記アンダーバスト曲部に対応してユーザーのアンダーバスト曲線に合わせる、外へ凸設される支持部材収容領域を有する外側布層と、
アンダーバスト曲線に合わせる形態で前記支持部材収容領域とアンダーバスト曲部との間に設けられる支持部材と
を含むブラカップ底縁接合構造である。
女性が本考案によるブラカップ底縁接合構造が設けられたブラジャーを着用する場合、前記台湾実用新案公告第５４０３１７号に比べると、この考案による前記ブラカップ内側に凸設される弾性の複合成形ワイヤーは、ユーザーの肌を圧迫する問題点が発生され、また、この考案を改良するために、ワイヤーとユーザーの肌との間が肌接触布地で被覆することにより隔てられても、この肌接触布地がワイヤーを収容するための収容空間を内へ凸設しているので、着用時間が長くなると、やはりユーザーに異物に圧迫される不快感を抱かせる。
従って、本考案は前記外側布層に支持部材収容領域を外へ凸設することにより、女性の乳房を支える支持部材を収容し、この支持部材収容領域は外へ凸設される構造であるだけに、前記２つの従来のブラジャーの態様の女性のアンダーバストへの圧迫感を解消することができ、またその上、本考案による支持部材の女性の乳房に対する支持機能により、女性が着用する際に、そのバストを集中させて支え上げる効果を有し、見た目において、女性の体の曲線をさらに目立たせ、そのセクシーで美しい姿をさらに見せることができる。
従って、前記構成によって、本考案によるブラカップ底縁接合構造が設けられるブラジャー製品は、女性の体の曲線の姿を見せることができるとともに、ユーザーが長期間着用する場合、前記支持部材がアンダーバストに付けられることによって不快感を感じさせないので、本考案によるブラカップ底縁接合構造は従来のブラジャー構成に比べて、新規性と進歩性を有する。
【図面の簡単な説明】
【０００５】
【図１】本考案の斜視図である。
【図２】本考案の断面図である。
【図３】本考案の使用状態の側面図である。
【図４】本考案によるブラジャーに設けられる場合の使用状態を示す模式図である。
【図５】従来のブラカップ底縁構造の使用状態の側面図である。
【考案を実施するための形態】
【０００６】
図１〜３に示すように、本考案によるブラカップ底縁接合構造（１）は、
ユーザーのバスト曲線に合わせてユーザーの肌にぴったり付けられる構成であり、アンダーバスト曲部（１１１）を有する肌接触布層（１１）と、
前記肌接触布層（１１）におけるユーザーの肌と異なる側に設置してぴったり付けられ、前記アンダーバスト曲部（１１１）に対応してユーザーのアンダーバスト曲線に合わせる、外へ凸設される支持部材収容領域（１２１）を有する外側布層（１２）と、
アンダーバスト曲線に合わせる形態で前記外側布層（１２）の支持部材収容領域（１２１）と前記肌接触布層（１１）のアンダーバスト曲部（１１１）との間に設けられる支持部材（１３）とを含む。
その中、前記肌接触布層（１１）は、不織布又は弾性の繊維綿の材質であってもよい。
前記外側布層（１２）は、不織布又は弾性繊維綿の材質であってもよい。
前記支持部材（１３）は鋼線、鋼片又は弾性成形体であってもよい。
図１、３及び４を参照すると、ユーザーが本考案によるブラカップ底縁接合構造（１）が設けられるブラジャー（２）を着用する際に、前記肌接触布層（１１）のアンダーバスト曲部（１１１）がユーザーのアンダーバストにぴったり付けられるが、本考案は、従来のブラジャーのように、ブラカップのアンダーバストに鋼線を収容するための収容空間を内へ凸設するのではなく、本考案による外側布層（１２）に、前記肌接触布層（１１）のアンダーバスト曲部（１１１）に対応する支持部材収容領域（１２１）を外へ凸設し、そして前記アンダーバスト曲部（１１１）と支持部材収容領域（１２１）との間に女性の乳房を支えるための支持部材（１３）を取り付けているため、ユーザーは着用する際に、前記支持部材収容領域（１２１）と支持部材（１３）が外へ凸設される構造であるだけに、そのアンダーバストにおいて押し当てによる圧迫感が感じない。
従来のブラジャーのブラカップの底縁構造に比べると、本考案は、ユーザーが着用する際に不快感を感じないようにすることができる一方、本考案による支持部材（１３）がユーザーのバストのアンダーバストにあるので、女性の乳房に対して地球の引力に抵抗し、バストの下垂れを防止する支え上げ機能を有する。
さらに、前記アンダーバスト曲部（１１１）、支持部材収容領域（１２１）及び支持部材（１３）は、前記ブラジャー（２）の中央からユーザーの脇下部へ伸びているが、このような設け方では、前記アンダーバスト曲部（１１１）、支持部材収容領域（１２１）及び支持部材（１３）により女性のバストの底縁がより完全に被覆され、支え上げ効果が提供される外に、女性のバストを外から内へ集中させる効果が併せて配慮され、外へ広げる現象の発生がさらに回避される。
従って、このブラカップ底縁接合構造（１）が設けられるブラジャー（２）を着用すれば、従来のブラジャーの態様による女性のアンダーバストへの圧迫感を解消することができ、またその上、本考案による支持部材の女性の乳房に対する支持機能により、着用者の見た目において、女性の体の曲線をさらに目立たせ、そのセクシーで美しい姿をさらに見せることができる。
従って、前記構成によれば、本考案によるブラカップ底縁接合構造はブラジャーのカップ底縁に設けられ、前記外側布層における、前記肌接触布層のアンダーバスト曲部に対応して外へ凸設される支持部材収容領域によって、ユーザーは、従来のブラジャーを着用する場合のカップ底縁のワイヤーの圧迫束縛による不快感に困ることがなくなる。これは、前記支持部材が前記外へ凸設される支持部材収容領域に設けられ、前記アンダーバスト曲部をユーザーのアンダーバストに快適にぴったり付けることができるとともに、乳房を支えて押し上げて定形させる効果が得られるからである。以上に述べたことは、ただ本考案の好ましい実施形態に過ぎず、本考案の実施範囲を制限するものではない。従って、本考案の請求の範囲及び明細書の内容に基づいたいずれの簡単な等価の変更及び修飾も、本考案の範囲に含まれるべきである。
【符号の説明】
【０００７】
１…ブラカップ底縁接合構造
２…ブラジャー
１１…肌接触布層
１２…外側布層
１３…支持部材
１１１…アンダーバスト曲部
１２１…支持部材収容領域
【図１】
0003161170.tif 000003
【図２】
0003161170.tif 000004
【図３】
0003161170.tif 000005
【図４】
0003161170.tif 000006
【図５】
0003161170.tif 000007